【手続補正書】
【提出日】平成22年2月12日(2010.2.12)
【手続補正１】
【補正対象書類名】明細書
【補正対象項目名】特許請求の範囲
【補正方法】変更
【補正の内容】
【特許請求の範囲】
【請求項１】  印刷装置を用いて印字パラメータを変更可能とした印刷を行なうとともに、上記印刷に対する課金を行なう印刷システムであって、
ユーザの入力操作に基づいてユーザの希望金額を認識する第１の認識手段と、
上記印字パラメータの組み合わせによる複数の印刷方式から上記希望金額に収まる料金の印刷方式を選択する第１の選択手段と、
上記第１の選択手段により選択された印刷方式を表示するための第１の表示手段と、
上記第１の表示手段により表示された印刷方式をユーザの入力操作により選択させる第２の選択手段とを備えたことを特徴とする印刷システム。
【請求項２】  ユーザが指定した上記印字パラメータの優先度を認識する第２の認識手段を備え、
上記優先度を基に上記希望金額に収まる印刷方式を決定し、上記第２の選択手段は、該決定した印刷方式をユーザに選択させることを特徴とする請求項１に記載の印刷システム。
【請求項３】  ユーザが指定できる金額の上限及び下限のうち少なくともいずれかを表示するための第２の表示手段を備えたことを特徴とする請求項１又は２に記載の印刷システム。
【請求項４】  上記第１の表示手段は、上記希望金額に収まる料金の複数の印刷方式を表示させ、
上記第２の選択手段は、上記複数の印刷方式のうち、ユーザが希望する印刷方式を選択させることを特徴とする請求項１又は３に記載の印刷システム。
【請求項５】  上記第１の表示手段により上記表示された印刷方式のキャンセルを受け付ける受け付け手段を備えたことを特徴とする請求項１乃至４のいずれか１項に記載の印刷システム。
【請求項６】  印字パラメータを変更可能とした印刷を行なうとともに、上記印刷に対する課金を行なう印刷装置であって、
ユーザの入力操作に基づいてユーザの希望金額を認識する認識手段と、
上記印字パラメータの組み合わせによる複数の印刷方式から上記希望金額に収まる料金の印刷方式を選択する第１の選択手段と、
上記第１の選択手段により選択された印刷方式を表示するための表示手段と、
上記表示手段により表示された印刷方式をユーザの入力操作により選択させる第２の選択手段とを備えたことを特徴とする印刷装置。
【請求項７】  印刷装置を用いて印字パラメータを変更可能とした印刷を行なうとともに、上記印刷に対する課金を行なう印刷方法であって、
認識手段が、ユーザの入力操作に基づいてユーザの希望金額を認識する認識工程と、
第１の選択手段が、上記印字パラメータの組み合わせによる複数の印刷方式から上記希望金額に収まる料金の印刷方式を選択する第１の選択工程と、
表示手段が、上記第１の選択工程において選択された印刷方式を表示するための表示工程と、
第２の選択手段が、上記表示工程において表示された印刷方式をユーザの入力操作により選択させる第２の選択工程とを行なうことを特徴とする印刷方法。
【請求項８】  印刷装置を用いて印字パラメータを変更可能とした印刷を行なうとともに、上記印刷に対する課金を行なうためのコンピュータプログラムであって、
ユーザの入力操作に基づいてユーザの希望金額を認識する認識工程と、
上記印字パラメータの組み合わせによる複数の印刷方式から上記希望金額に収まる料金の印刷方式を選択する第１の選択工程と、
上記第１の選択工程において選択された印刷方式を表示するための表示工程と、
上記表示工程において表示された印刷方式をユーザの入力操作により選択させる第２の選択工程とをコンピュータに実行させることを特徴とするコンピュータプログラム。
【請求項９】  印刷装置を用いて印字パラメータを変更可能とした印刷を行なうとともに、上記印刷に対する課金を行なうためのプログラムを格納したコンピュータ読み取り可能な記憶媒体であって、
ユーザの入力操作に基づいてユーザの希望金額を認識する認識工程と、
上記印字パラメータの組み合わせによる複数の印刷方式から上記希望金額に収まる料金の印刷方式を選択する第１の選択工程と、
上記第１の選択工程において選択された印刷方式を表示するための表示工程と、
上記表示工程において表示された印刷方式をユーザの入力操作により選択させる第２の選択工程とをコンピュータに実行させるプログラムを格納したことを特徴とするコンピュータ読み取り可能な記憶媒体。
【手続補正２】
【補正対象書類名】明細書
【補正対象項目名】０００５
【補正方法】変更
【補正の内容】
【０００５】
【課題を解決するための手段】
本発明の印刷システムは、印刷装置を用いて印字パラメータを変更可能とした印刷を行なうとともに、上記印刷に対する課金を行なう印刷システムであって、ユーザの入力操作に基づいてユーザの希望金額を認識する第１の認識手段と、上記印字パラメータの組み合わせによる複数の印刷方式から上記希望金額に収まる料金の印刷方式を選択する第１の選択手段と、上記第１の選択手段により選択された印刷方式を表示するための第１の表示手段と、上記第１の表示手段により表示された印刷方式をユーザの入力操作により選択させる第２の選択手段とを備えた点に特徴を有する。
【手続補正３】
【補正対象書類名】明細書
【補正対象項目名】０００６
【補正方法】削除
【補正の内容】
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】変更
【補正の内容】
【００１０】
本発明の印刷装置は、印字パラメータを変更可能とした印刷を行なうとともに、上記印刷に対する課金を行なう印刷装置であって、ユーザの入力操作に基づいてユーザの希望金額を認識する認識手段と、上記印字パラメータの組み合わせによる複数の印刷方式から上記希望金額に収まる料金の印刷方式を選択する第１の選択手段と、上記第１の選択手段により選択された印刷方式を表示するための表示手段と、上記表示手段により表示された印刷方式をユーザの入力操作により選択させる第２の選択手段とを備えた点に特徴を有する。
【手続補正８】
【補正対象書類名】明細書
【補正対象項目名】００１１
【補正方法】変更
【補正の内容】
【００１１】
本発明の印刷方法は、印刷装置を用いて印字パラメータを変更可能とした印刷を行なうとともに、上記印刷に対する課金を行なう印刷方法であって、認識手段が、ユーザの入力操作に基づいてユーザの希望金額を認識する認識工程と、第１の選択手段が、上記印字パラメータの組み合わせによる複数の印刷方式から上記希望金額に収まる料金の印刷方式を選択する第１の選択工程と、表示手段が、上記第１の選択工程において選択された印刷方式を表示するための表示工程と、第２の選択手段が、上記表示工程において表示された印刷方式をユーザの入力操作により選択させる第２の選択工程とを行なう点に特徴を有する。
【手続補正９】
【補正対象書類名】明細書
【補正対象項目名】００１２
【補正方法】変更
【補正の内容】
【００１２】
本発明のコンピュータプログラムは、印刷装置を用いて印字パラメータを変更可能とした印刷を行なうとともに、上記印刷に対する課金を行なうためのコンピュータプログラムであって、ユーザの入力操作に基づいてユーザの希望金額を認識する認識工程と、上記印字パラメータの組み合わせによる複数の印刷方式から上記希望金額に収まる料金の印刷方式を選択する第１の選択工程と、上記第１の選択工程において選択された印刷方式を表示するための表示工程と、上記表示工程において表示された印刷方式をユーザの入力操作により選択させる第２の選択工程とをコンピュータに実行させる点に特徴を有する。
【手続補正１０】
【補正対象書類名】明細書
【補正対象項目名】００１３
【補正方法】変更
【補正の内容】
【００１３】
本発明のコンピュータ読み取り可能な記憶媒体は、印刷装置を用いて印字パラメータを変更可能とした印刷を行なうとともに、上記印刷に対する課金を行なうためのプログラムを格納したコンピュータ読み取り可能な記憶媒体であって、ユーザの入力操作に基づいてユーザの希望金額を認識する認識工程と、上記印字パラメータの組み合わせによる複数の印刷方式から上記希望金額に収まる料金の印刷方式を選択する第１の選択工程と、上記第１の選択工程において選択された印刷方式を表示するための表示工程と、上記表示工程において表示された印刷方式をユーザの入力操作により選択させる第２の選択工程とをコンピュータに実行させる点に特徴を有する。